(57)【要約】      （修正有）【課題】堅固で美しく、重ね置きしても安定し、使用し易い透明靴ケースを提供する。【解決手段】２枚のケース体折板と、前端蓋枠２０と、前端蓋３０と、後端蓋４０とからなり、ケース体折板は、第１、第２の折畳部１１、１２を含み、第１の折畳部１１は、ケース体の底部または頂部を構成し、第２の折畳部１２は、ケース体の左側部または右側部を構成し、１枚のケース体折板の第１、第２の折畳部１１、１２は、それぞれもう１枚のケース体折板の第２、第１の折畳部１１、１２と、対応する係合部品と係合溝との接続によってケース体を構成し、前端蓋枠２０および後端蓋４０上に、それぞれケース体スロットを設けてケース体の前、後端の外側につけ、前端蓋３０と前端蓋枠２０とは可動接続され、前端蓋３０上に、持ち手穴を設け、第２の折畳部１２は、４つの頂角から一定距離を隔てた箇所に、４つのケース蓋係合部品を設け、前端蓋枠２０および後端蓋４０上に、それぞれケース蓋係合部品に対応するケース蓋係合溝を設けた。【選択図】図１
0003215344.tif 000002
【実用新案登録請求の範囲】
【請求項１】
２枚のケース体折板と、前端蓋枠と、前端蓋と、後端蓋とからなり、ケース体折板は、第１、第２の折畳部を含み、第１の折畳部は、ケース体の底部または頂部を構成し、第２の折畳部は、ケース体の左側部または右側部を構成し、１枚のケース体折板の第１、第２の折畳部は、それぞれもう１枚のケース体折板の第２、第１の折畳部と、対応する係合部品と係合溝との接続によってケース体を構成し、前端蓋枠および後端蓋上に、それぞれケース体スロットを設けてケース体の前、後端の外側につけ、前端蓋と前端蓋枠とは可動接続され、前端蓋上に、持ち手穴を設け、第２の折畳部は、４つの頂角から一定距離を隔てた箇所に、４つのケース蓋係合部品を設け、前蓋枠および後端蓋上に、それぞれケース蓋係合部品に対応するケース蓋係合溝を設けたことを特徴とする新型透明靴ケース。
【請求項２】
前記第１の折畳部は、４つの頂角から一定距離を隔てた箇所に、４つのケース体貫通穴を設け、前記前端蓋枠および後端蓋の側辺上に、同一側のケース体上のケース体貫通穴上に蓋をする２つの突起フックを設け、前端蓋枠および後端蓋の他側辺上に、他側のケース体上のケース体貫通穴に対応する２つのノッチ溝を設け、突起フック、ノッチ溝およびケース体貫通穴はそれぞれ対応することを特徴とする、請求項１に記載の新型透明靴ケース。
【請求項３】
前記前端蓋上に、それに固定された回転軸を設け、前端蓋枠上に、対応する回転軸係合溝を設け、前端蓋上の回転軸と反対の側に、外向きに突出した係合フックを設け、前端蓋枠上に、対応する係合フック溝を設けたことを特徴とする、請求項１に記載の新型透明靴ケース。
【請求項４】
前記後端蓋上に、排気穴を設けたことを特徴とする、請求項１に記載の新型透明靴ケース。
【請求項５】
前記ケース体折板は、厚さが１．５ｍｍ以上の透明プラスチック板であることを特徴とする、請求項１に記載の新型透明靴ケース。
【請求項６】
前記後端蓋、前端蓋枠は、不透明な硬質プラスチックであることを特徴とする、請求項１に記載の新型透明靴ケース。
【考案の詳細な説明】
【技術分野】
【０００１】
本実用新案は靴ケースに関し、具体的には透明靴ケースである。
【背景技術】
【０００２】
現在、どの家庭でも大量の靴を収納しなければならないという問題に直面している。新しい靴は、購入時に通常は靴ケースがついており、靴を保護する作用を果たす。靴購入時についてくる靴ケースは、ボール紙を用いて作られ、湿気を受けてカビが生えやすく、しかも異なる靴のケースはサイズが異なり、一緒に置くと非常に雑然として見える。他方、靴ケース外部からは内部の靴を見ることができないため、靴を探す際に非常に不便である。現在、市場ではすでに透明靴ケースが販売されており、通常は１枚の透明プラスチック板を折り畳んでなる蓋を開ける形の靴ケース、または２枚の透明プラスチック板を折り畳んでなる引き出し型靴ケースを採用し、従来の靴ケースの弊害を解決しているが、ケース体を構成するプラスチック板は、薄く柔らかくなければ組み立てやすくはならないため、変形しやすく、複数組の重ね置きに向かず、使用寿命が短いなどの問題が存在する。
【考案の概要】
【考案が解決しようとする課題】
【０００３】
本実用新案の目的は、複数組の重ね置きに適し、堅固で耐久性があり、使用しやすい透明靴ケースを提供することにある。
【課題を解決するための手段】
【０００４】
上記目的を達するために採用した技術方策は、新型透明靴ケースであり、２枚のケース体折板と、前端蓋枠と、前端蓋と、後端蓋とからなり、ケース体折板は、第１、第２の折畳部を含み、第１の折畳部は、ケース体の底部または頂部を構成し、第２の折畳部は、ケース体の左側部または右側部を構成する。１枚のケース体折板の第１、第２の折畳部は、それぞれもう１枚のケース体折板の第２、第１の折畳部と、対応する係合部品と係合溝との接続によってケース体を構成し、前端蓋枠および後端蓋上に、それぞれケース体スロットを設けてケース体の前、後端の外側につけ、前端蓋と前端蓋枠とは可動接続され、前端蓋上に持ち手穴を設け、第２の折畳部は、４つの頂角から一定距離を隔てた箇所に、４つのケース蓋係合部品を設ける。前蓋枠および後端蓋上に、それぞれケース蓋係合部品に対応するケース蓋係合溝を設ける。
【０００５】
前記第１の折畳部は、４つの頂角から一定距離を隔てた箇所に、４つのケース体貫通穴を設け、前記前端蓋枠および後端蓋の側辺上に、同一側のケース体上のケース体貫通穴上に蓋をする２つの突起フックを設ける。前端蓋枠および後端蓋の他側辺上に、他側のケース体上のケース体貫通穴に対応する２つのノッチ溝を設け、突起フック、ノッチ溝およびケース体貫通穴はそれぞれ対応する。
【０００６】
前記前端蓋上に、それに固定された回転軸を設け、前端蓋枠上に、対応する回転軸係合溝を設ける。前端蓋は、上、下向きまたは左、右方向に開くことができる。前端蓋上の回転軸と反対の側に、外向きに突出した係合フックを設け、前端蓋枠上に、対応する係合フック溝を設ける。
【０００７】
前記後端蓋上に、排気穴を設ける。
【０００８】
ケース体折板は、透明プラスチック板であり、厚さは１．５ｍｍ以上を選択することができ、厚い材質であっても、ケース体の組み立てに影響を及ぼすことはない。前端蓋はケース体折板と同じ材料を用いてもよい。後端蓋および前端蓋枠は、好ましくは不透明な硬質プラスチックを選択し、靴ケースの荷重量および美しさを高めてもよい。
【０００９】
２つの靴ケースを重ね置きする場合、そのうち１つの靴ケース前端蓋枠および後端蓋上に、突起フックを設け、もう１つの靴ケース前端蓋枠および後端蓋のノッチ溝と対応するケース体貫通穴内とに伸入し、重ね置きが安定する。
【図面の簡単な説明】
【００１０】
【図１】本実用新案の構造概略図である。
【図２】本実用新案の使用状態参考図である。
【図３】本実用新案ケース体折板の構造概略図である。
【図４】本実用新案前端蓋枠の概略図である。
【図５】本実用新案新型前端蓋の概略図である。
【図６】本実用新案後端蓋内側の概略図である。
【図７】本実用新案後端蓋外側の概略図である。
【考案を実施するための形態】
【００１１】
以下では、図面および実施例を組み合わせて、本実用新案についてさらに詳細な説明を行う。図１から図３に示されたように、本新型透明靴ケースは、２枚のケース体折板１０と、前端蓋枠２０と、前端蓋３０と、後端蓋４０とからなる。２枚のケース体折板１０の形状は同じであり、ケース体折板１０は、第１の折畳部１１および第２の折畳部１２を含み、第１の折畳部１１は、ケース体の底部または頂部を構成し、第２の折畳部１２は、ケース体の左側部または右側部を構成する。図３に示されたように、ケース体折板１０の第１の折畳部１１の内側辺の辺縁に、間隔をおいて分布する第１の係合溝１１１を設け、第２の折畳部１２の内側辺の辺縁に、第１の係合溝１１１に対応する突出した第１の係合部品１２１を設ける。２枚のケース体折板１０のうち１枚の第１、第２の折畳部は、それぞれもう１枚のケース体折板１０の第２、第１の折畳部と、対応する第１の係合部品１２１と第１の係合溝１１１との接続によってケース体を構成する。前端蓋枠２０上に、ケース体に対応するスロットを設け、前端蓋枠２０は、ケース体前端の外側につけ、後端蓋４０上に、ケース体後端の外側につけるケース体スロット４１を設ける。
【００１２】
図４、図５に示されたように、前端蓋３０上に、それに固定された回転軸３１を設け、前端蓋枠２０上に、対応する回転軸係合溝２１を設ける。前端蓋３０は、回転軸３１と反対の側に、外向きに突出した第２の係合フック３２を設け、前端蓋枠２０上に、対応する第２の係合フック溝２２を設ける。前端蓋３０上に、持ち手穴３３を設け、前端蓋３０を開きやすくし、前端蓋３０は、上、下向きまたは左、右方向に開くことができる。
【００１３】
図３に示されたように、第２の折畳部１２は、４つの頂角から一定距離を隔てた箇所に、４つのケース蓋係合部品１２２を設ける。図４、図７に示されたように、前蓋枠２０および後端蓋４０上に、それぞれケース蓋係合部品１２２に対応するケース蓋係合部品溝１２２ｂを設ける。
【００１４】
図３に示されたように、第１の折畳部１１は、４つの頂角から一定距離を隔てた箇所に、４つのケース体貫通穴１１２を設ける。
【００１５】
前端蓋枠２０および後端蓋４０の側辺上に、同一側のケース体上のケース体貫通穴１１２に対応する２つの突起フック１１２ａを設置する。前端蓋枠２０および後端蓋４０の他側辺上に、他側のケース体上のケース体貫通穴１１２に対応する２つのノッチ溝１１２ｂを設置する。
【００１６】
２つの本実用新案靴ケースを重ね置きする場合、そのうち１つの靴ケース前端蓋枠および後端蓋上に設けた突起フック１１２ａが、もう１つの靴ケース前端蓋枠および後端蓋のノッチ溝１１２ｂと対応するケース体貫通穴１１２内とに侵入し、重ね置きを安定させる。
【００１７】
前記後端蓋４０上に、排気穴を設け、靴ケースの通気性を保証する。
【００１８】
ケース体折板１０は、透明プラスチック板であり、厚さは１．５ｍｍ以上を選択することができ、厚い材質であっても、ケース体の組み立てに影響を及ぼすことはない。前端蓋３０は、ケース体折板１０と同じ透明材料を用い、視覚上の透過性を保証してもよい。後端蓋４０および前端蓋枠２０は、好ましくは不透明な硬質プラスチックを選択し、靴ケースの荷重量および美しさを高めてもよい。
【符号の説明】
【００１９】
１０    ケース体折板
２０    前端蓋枠
３０    前端蓋
４０    後端蓋
【図１】
0003215344.tif 000003
【図２】
0003215344.tif 000004
【図３】
0003215344.tif 000005
【図４】
0003215344.tif 000006
【図５】
0003215344.tif 000007
【図６】
0003215344.tif 000008
【図７】
0003215344.tif 000009